(57)【要約】【課題】この発明は、ランプ点灯状態またはクーリング状態においてＡＣ入力電圧の供給が強制的に遮断され、かつその直後にＡＣ入力電圧が再度供給された場合に、ランプ温度が高い状態で光源ランプが点灯されるのを防止できる液晶プロジェクタを提供することを目的とする。【解決手段】液晶プロジェクタにおいて、光源ランプの周囲温度を検出するための温度センサ、スタンバイ状態においてランプ点灯指令が入力されたときに、温度センサの検出温度が許容値以下であるか否かを判別する手段、温度センサの検出温度が許容値以下である場合に光源ランプを点灯させる手段、および温度センサの検出温度が許容値を越えている場合に、冷却ファンを一定期間駆動して光源ランプを冷却させるといったクーリング動作を行わせた後に、スタンバイ状態にさせる手段を備えている。【選択図】　図１
2004133107.tif 000002
【特許請求の範囲】
【請求項１】
光源ランプの周囲温度を検出するための温度センサ、
スタンバイ状態においてランプ点灯指令が入力されたときに、温度センサの検出温度が許容値以下であるか否かを判別する手段、
温度センサの検出温度が許容値以下である場合に光源ランプを点灯させる手段、および
温度センサの検出温度が許容値を越えている場合に、冷却ファンを一定期間駆動して光源ランプを冷却させるといったクーリング動作を行わせた後に、スタンバイ状態にさせる手段、
を備えている液晶プロジェクタ。
【発明の詳細な説明】
【０００１】
【発明の属する技術分野】
この発明は、液晶プロジェクタに関する。
【０００２】
【従来の技術】
液晶プロジェクタには光源ランプが搭載されているが、光源ランプは、ランプ温度が高い状態で点灯が行われた場合、ランプ点灯性が悪くなるとともにランプの寿命に悪影響を与えるという特性を有している。
【０００３】
そこで、光源ランプが消灯されたときには、冷却ファンを一定期間、駆動させるといったクーリング動作が行われ、この後にランプ再点灯を受け付けうる状態であるスタンバイ状態に移行するようにしている。
【０００４】
しかしながら、ランプ点灯状態またはクーリング動作が行われている状態（以下、クーリング状態という）においてＡＣ入力電圧の供給が強制的に遮断された直後に、ＡＣ入力電圧が再度供給されるようになった場合には、スタンバイ状態となるため、ランプ点灯操作が行われると、光源ランプが十分冷却されないまま光源ランプが再点灯されてしまうおそれがある。
【０００５】
なお、ＡＣ入力電圧が強制的に遮断される場合には、液晶プロジェクタのＡＣプラグがＡＣコンセントから抜かれた場合、液晶プロジェクタにＡＣ電源スイッチが設けられている場合にはＡＣ電源スイッチがオフにされた場合がある。
【０００６】
【発明が解決しようとする課題】
この発明は、ランプ点灯状態またはクーリング状態においてＡＣ入力電圧の供給が強制的に遮断され、かつその直後にＡＣ入力電圧が再度供給された場合に、ランプ温度が高い状態で光源ランプが点灯されるのを防止できる液晶プロジェクタを提供することを目的とする。
【０００７】
【課題を解決するための手段】
請求項１に記載の発明は、光源ランプの周囲温度を検出するための温度センサ、スタンバイ状態においてランプ点灯指令が入力されたときに、温度センサの検出温度が許容値以下であるか否かを判別する手段、温度センサの検出温度が許容値以下である場合に光源ランプを点灯させる手段、および温度センサの検出温度が許容値を越えている場合に、冷却ファンを一定期間駆動して光源ランプを冷却させるといったクーリング動作を行わせた後に、スタンバイ状態にさせる手段を備えていることを特徴とする。
【０００８】
【発明の実施の形態】
以下、図面を参照して、この発明の実施の形態について説明する。
【０００９】
図１は、液晶プロジェクタの光源ランプおよび冷却ファンの制御回路の構成を示している。
【００１０】
ＣＰＵ１には、操作部（リモコンまたは液晶プロジェクタ本体に設けられた操作部）２からの操作信号が入力される。ＣＰＵ１には、液晶プロジェクタ本体内に設けられかつ光源ランプ５の周辺温度を検出するための温度センサ３が接続されている。ＣＰＵ１には、光源ランプ５の点灯回路（ランプ点灯回路）４および冷却ファン７の駆動回路（ファン駆動回路）６が接続されている。また、ＣＰＵ１には、ランプ点灯回路４およびファン駆動回路６に電源を供給するためのメイン電源回路８も接続されている。
【００１１】
図２は、ＣＰＵ１の動作を示している。
【００１２】
ＣＰＵ１への電源がオンになると、つまり、ＡＣ入力電圧の供給が開始されると（ステップ１）、ＣＰＵ１へは電源が供給されているが、他の回路（操作信号をＣＰＵ１に入力させるための回路を除く）へは電源が供給されていないスタンバイ状態となる（ステップ２）。
【００１３】
スタンバイ状態において、操作部２からランプ点灯指令が入力されると（ステップ３）、温度センサ３の検出温度（ランプ周辺温度）が予め定められた許容値以下であるか否かを判別する（ステップ４）。
【００１４】
検出温度が許容値以下である場合には、ランプ点灯状態となる（ステップ５）。ランプ点灯状態においては、光源ランプ５が点灯されるとともに、全ての回路に電源が供給される。また、温度センサ３または他の図示しない温度センサの検出温度に応じて、冷却ファン７が駆動される。
【００１５】
ランプ点灯状態において、操作部２からランプ消灯指令が入力されると（ステップ６）、光源ランプ５が消灯されるとともに、冷却ファン７が一定期間、駆動するといった、クーリング状態となる（ステップ７）。そして、クーリング状態が終了して、冷却ファン７が停止せしめられると、ステップ２のスタンバイ状態に戻る。
【００１６】
上記ステップ４において、温度センサ３の検出温度が許容値を越えていると判定した場合には、冷却ファン７を一定期間、駆動するといった、クーリング状態となる（ステップ８）。そして、クーリング状態が終了して、冷却ファン７が停止せしめられると、ステップ２のスタンバイ状態に戻る。
【００１７】
ステップ５のランプ点灯状態またはステップ７のクーリング状態において、ＡＣ入力電圧の供給が強制的に遮断され、かつその直後にＡＣ入力電圧が再度供給された場合には、光源ランプ５の温度が許容値より高くなっている可能性が高いが、このようなときにランプ点灯指令が入力されても、光源ランプ５は点灯されなくなる。
【００１８】
つまり、ランプ点灯状態またはクーリング状態において、ＡＣ入力電圧の供給が強制的に遮断され、かつその直後にＡＣ入力電圧が再度供給されると、ステップ１からステップ２に移行してスタンバイ状態となる。この状態において、操作部２からランプ点灯指令が入力されると、ステップ３からステップ４に移行し、温度センサ３の検出温度が許容値以下であるか否かが判別される。この際、光源ランプ５の周辺温度が許容値より高い場合には、光源ランプ５は点灯されず、ステップ８に移行して、クーリング状態となる。つまり、光源ランプ５が冷却される。
【００１９】
なお、上記許容値は、使用する光源ランプの特性、液晶プロジェクタの状態（大きさ、設置環境）等によって設定変更できるようにしておくことが好ましい。
【００２０】
【発明の効果】
この発明によれば、ランプ点灯状態またはクーリング状態においてＡＣ入力電圧の供給が強制的に遮断され、かつその直後にＡＣ入力電圧が再度供給された場合に、ランプ温度が高い状態で光源ランプが点灯されるのを防止できるようになる。
【図面の簡単な説明】
【図１】液晶プロジェクタの光源ランプおよび冷却ファンの制御回路の構成を示すブロック図である。
【図２】ＣＰＵ１の動作を示すフローチャートである。
【符号の説明】
１　ＣＰＵ
２　操作部
３　温度センサ
４　ランプ点灯回路
５　光源ランプ
６　ファン駆動回路
７　冷却ファン
８　メイン電源回路
【図１】
2004133107.tif 000003
【図２】
2004133107.tif 000004